(57)【要約】【課題】壁掛け時にスタンドベースを壁掛け部材として使用できる薄型表示装置を提供する。【解決手段】薄型表示装置の卓上設置の際に、表示部１０はスタンド支柱２０を介して卓面に当接されるスタンド支持台３０に支持されている。また、スタンド支柱２０は、表示部１０の背面に連結されている。スタンド支柱２０は、壁掛けの際には分離される。スタンド支持台３０は、壁掛け部材として用いる分離可能なスタンドベース７０を備えている。このスタンドベース７０は壁に当接される。この上で、スタンド支柱２０を反転させて表示部１０に固定し、フック２７をスタンドベース７０に係止することで壁掛けすることができる。【選択図】図３
2013152419.tif 000002
【特許請求の範囲】
【請求項１】
卓上設置の際に表示部がスタンド支柱を介して卓面に当接されるスタンド支持台に支持され、スタンド支柱が表示部の背面に連結された薄型表示装置において、
前記スタンド支持台は、壁掛け部材として用いる分離可能なスタンドベースを備え、
前記スタンドベースは、壁掛けフック挿入孔を備え、
前記スタンド支柱は、卓上設置の際に前記表示部のフック挿入固定孔に嵌入されるフックを備え、壁掛けの際には分離され、前記フックが前記壁掛けフック挿入孔に係止される
ことを特徴とする薄型表示装置。
【請求項２】
前記スタンド支柱は、前記フックが前記壁掛けフック挿入孔に係止される際に前記表示部を固定するロックピンを備える
ことを特徴とする請求項１に記載の薄型表示装置。
【請求項３】
卓上設置の際に表示部がスタンド支柱を介して卓面に当接されるスタンド支持台に支持され、スタンド支柱が表示部の背面に連結された薄型表示装置において、
前記スタンド支持台は、壁掛け部材として用いる際に分離されるスタンドベースを備え、
前記スタンドベースは、前記表示部に取り付けられた壁掛けフック手段を係止するための壁掛けフック手段挿入孔を備え、
前記スタンド支柱は、前記スタンドベースと共に壁掛け部材として用いるスタンド支持部を備え、
前記表示部は、壁掛けの際に、分離され固定された前記スタンドベース及び前記スタンド支持部に対して係止される
ことを特徴とする薄型表示装置。
【請求項４】
前記スタンド支柱は、前記壁掛けの際に前記表示部を固定する本体固定部を備え、
前記表示部は、前記壁掛けの際に前記本体固定部に挿入される壁固定部を備える
ことを特徴とする請求項３に記載の薄型表示装置。
【請求項５】
前記表示部は、壁掛けの際に前記スタンド支持部に掛止される掛止機構を備える
ことを特徴とする請求項３に記載の薄型表示装置。
【請求項６】
卓上設置の際に表示部がスタンド支柱を介して卓面に当接されるスタンド支持台に支持された薄型表示装置において、
前記スタンド支柱と前記表示部とを前記表示部の背面に連結する固定金具を備え、
前記スタンド支持台は、壁掛け部材として用いる際に分離されるスタンドベースを備え、
前記スタンドベースは、前記表示部に取り付けられた壁掛けフック手段を係止するための壁掛けフック手段挿入孔を備え、
前記表示部は、壁掛けの際に、前記スタンド支柱から分離され壁に固定された前記スタンドベース及び前記固定金具に対して係止される
ことを特徴とする薄型表示装置。
【請求項７】
前記表示部は、前記壁掛けの際に前記固定金具が挿入されて固定される壁固定部を備える
ことを特徴とする請求項６に記載の薄型表示装置。
【請求項８】
前記壁固定部は、壁掛けの際に前記固定金具に掛止される掛止機構を備える
ことを特徴とする請求項７に記載の薄型表示装置。
【発明の詳細な説明】
【技術分野】
【０００１】
本発明は薄型表示装置に係り、特に壁掛けの際にスタンドを分離する薄型表示装置に関する。
【背景技術】
【０００２】
近年、液晶やプラズマや有機ＥＬ等のディスプレイパネルを用いた薄型のテレビジョン（以下、「テレビ」という。）等である薄型表示装置が普及している。
このような薄型表示装置は、スタンドを用いてテレビ台や机等の卓面（床面）に設置（以下、「卓上設置」という。）することが一般的である。また、薄型表示装置は、壁面に掛けて設置（以下、「壁掛け」という。）することもでき、壁掛けテレビとしても用いられる。
しかしながら、薄型表示装置を壁掛けテレビとして用いるためには、壁に固定するための壁掛けアングル等と呼ばれる壁掛け部材を別途購入する必要があった。
【０００３】
ここで、特許文献１を参照すると、薄型表示装置本体部に対して可動に設けられて壁掛け時にはディスプレイ本体部の裏面側に位置できるスタンド部を備えた薄型表示装置が記載されている。
特許文献１の薄型表示装置は、別途壁掛け部材を使用せず、スタンド部を折りたたむことで、壁掛けテレビとして用いることができる。
【先行技術文献】
【特許文献】
【０００４】
【特許文献１】特開２００５−１７３４２１号公報
【発明の概要】
【発明が解決しようとする課題】
【０００５】
しかしながら、特許文献１の技術は、スタンドが特殊な構造で費用が掛かっていた。
また、特許文献１の技術は、対応する荷重等の理由で、大型の薄型表示装置には用いることが難しいという課題があった。
【０００６】
本発明は、このような状況に鑑みてなされたものであり、上述の課題を解消することを課題とする。
【課題を解決するための手段】
【０００７】
本発明の薄型表示装置は、卓上設置の際に表示部がスタンド支柱を介して卓面に当接されるスタンド支持台に支持され、スタンド支柱が表示部の背面に連結された薄型表示装置において、前記スタンド支持台は、壁掛け部材として用いる分離可能なスタンドベースを備え、前記スタンドベースは、壁掛けフック挿入孔を備え、前記スタンド支柱は、卓上設置の際に前記表示部のフック挿入固定孔に嵌入されるフックを備え、壁掛けの際には分離され、前記フックが前記壁掛けフック挿入孔に係止されることを特徴とする薄型表示装置。
本発明の薄型表示装置は、前記スタンド支柱は、前記フックが前記壁掛けフック挿入孔に係止される際に前記表示部を固定するロックピンを備えることを特徴とする。
本発明の薄型表示装置は、卓上設置の際に表示部がスタンド支柱を介して卓面に当接されるスタンド支持台に支持され、スタンド支柱が表示部の背面に連結された薄型表示装置において、前記スタンド支持台は、壁掛け部材として用いる際に分離されるスタンドベースを備え、前記スタンドベースは、前記表示部に取り付けられた壁掛けフック手段を係止するための壁掛けフック手段挿入孔を備え、前記スタンド支柱は、前記スタンドベースと共に壁掛け部材として用いるスタンド支持部を備え、前記表示部は、壁掛けの際に、分離され固定された前記スタンドベース及び前記スタンド支持部に対して係止されることを特徴とする。
本発明の薄型表示装置は、前記スタンド支柱は、前記壁掛けの際に前記表示部を固定する本体固定部を備え、前記表示部は、前記壁掛けの際に前記本体固定部に挿入される壁固定部を備えることを特徴とする。
本発明の薄型表示装置は、前記表示部は、壁掛けの際に前記スタンド支持部に掛止される掛止機構を備えることを特徴とする。
本発明の薄型表示装置は、卓上設置の際に表示部がスタンド支柱を介して卓面に当接されるスタンド支持台に支持された薄型表示装置において、前記スタンド支柱と前記表示部とを前記表示部の背面に連結する固定金具を備え、前記スタンド支持台は、壁掛け部材として用いる際に分離されるスタンドベースを備え、前記スタンドベースは、前記表示部に取り付けられた壁掛けフック手段を係止するための壁掛けフック手段挿入孔を備え、前記表示部は、壁掛けの際に、前記スタンド支柱から分離され壁に固定された前記スタンドベース及び前記固定金具に対して係止されることを特徴とする。
本発明の薄型表示装置は、前記表示部は、前記壁掛けの際に前記固定金具が挿入されて固定される壁固定部を備えることを特徴とする。
本発明の薄型表示装置は、前記壁固定部は、壁掛けの際に前記固定金具に掛止される掛止機構を備えることを特徴とする。
【発明の効果】
【０００８】
本発明によれば、スタンドベースとスタンド支柱を壁掛け部材として使用することで、費用が安価で、大型テレビにも対応ができる薄型表示装置を提供できる。
【図面の簡単な説明】
【０００９】
【図１】本発明の第１の実施の形態に係る薄型表示装置の卓上設置の場合の正面図である。
【図２】本発明の第１の実施の形態に係る薄型表示装置の卓上設置の場合の背面図である。
【図３】本発明の第１の実施の形態に係る薄型表示装置の卓上設置におけるスタンド支柱及びスタンド支持台の分離の概念図である。
【図４】本発明の第１の実施の形態に係る薄型表示装置の分離後の表示部の背面図である。
【図５】本発明の第１の実施の形態に係る薄型表示装置の分離後のスタンド支柱の正面図である。
【図６】本発明の第１の実施の形態に係る薄型表示装置の分離後のスタンドベースの（ａ）平面図、（ｂ）側面図である。
【図７】本発明の第１の実施の形態に係る薄型表示装置の分離後のスタンドベースの壁掛けフック挿入孔の拡大図である。
【図８】本発明の第１の実施の形態に係る薄型表示装置の壁掛けにおけるスタンド支柱の表示部への固定を示す概念図である。
【図９】本発明の第１の実施の形態に係る薄型表示装置の壁掛けにおけるスタンド支柱と表示部とが固定された際の（ａ）側面図、（ｂ）背面図である。
【図１０】本発明の第１の実施の形態に係る薄型表示装置の壁掛けにおけるスタンドベースの壁への固定を示す概正面図である。
【図１１】本発明の第１の実施の形態に係る薄型表示装置の壁掛けにおける表示部とスタンド支柱をスタンドベースに係止する際の概念図である。
【図１２】本発明の第１の実施の形態に係る薄型表示装置の壁掛け後の側面図である。
【図１３】本発明の第２の実施の形態に係る薄型表示装置の卓上設置の場合の正面図である。
【図１４】本発明の第２の実施の形態に係る薄型表示装置の卓上設置の場合の背面図である。
【図１５】本発明の第２の実施の形態に係る薄型表示装置、スタンド支柱、及びスタンド支持台の分離の概念図である。
【図１６】本発明の第２の実施の形態に係る薄型表示装置の分離後のスタンドベースの（ａ）平面図、（ｂ）側面図である。
【図１７】本発明の第２の実施の形態に係る薄型表示装置のスタンド支柱の更なる分離、本体固定部及びロック機構部の組み立ての概念図である。
【図１８】本発明の第２の実施の形態に係る薄型表示装置の分離後の表示部の背面図である。
【図１９】本発明の第２の実施の形態に係る薄型表示装置のスタンドベース及びスタンド支柱の壁への固定を示す概正面図である。
【図２０】本発明の第２の実施の形態に係る薄型表示装置の壁掛けにおける表示部の壁掛けフックビスをスタンド支柱の溝部で掛止する際の概念図である。
【図２１】本発明の第２の実施の形態に係る薄型表示装置の壁掛けにおける壁固定部の挿入を示す側面図である。
【図２２】本発明の第２の実施の形態に係る薄型表示装置の壁掛けにおける壁固定部の挿入後の状態を示す概念図である。
【図２３】本発明の第３の実施の形態に係る薄型表示装置の（ａ）分離後の表示部の背面図、（ｂ）スライド挿入部１９への本体ロック治具部２３０の固定を示す概念図である。
【図２４】本発明の第３の実施の形態に係る薄型表示装置のスタンドベース及びスタンド支柱の壁への固定を示す概正面図である。
【図２５】本発明の第３の実施の形態に係る薄型表示装置の壁掛けにおける掛止の際の側面図である。
【図２６】本発明の第３の実施の形態に係る薄型表示装置の本体ロック治具部による固定の概念図である。
【図２７】本発明の第４の実施の形態に係る薄型表示装置の卓上設置の場合の背面図及び側面図である。
【図２８】本発明の第４の実施の形態に係る薄型表示装置、スタンド支柱、スタンド支持台、及び固定金具の分離の概念図である。
【図２９】本発明の第４の実施の形態に係る薄型表示装置の分離後の固定金具の（ａ）正面図、（ｂ）底面図、（ｃ）背面図、（ｄ）側面図である。
【図３０】本発明の第４の実施の形態に係る薄型表示装置の（ａ）分離後の表示部の背面図、（ｂ）壁固定部１８４の概正面図である。
【図３１】本発明の第４の実施の形態に係る薄型表示装置のスタンドベース及び固定金具の壁への固定を示す概正面図である。
【図３２】本発明の第４の実施の形態に係る薄型表示装置の壁掛けにおけるスライド挿入の際の（ａ）正面図、（ｂ）側面図である。
【図３３】本発明の第４の実施の形態に係る薄型表示装置の壁掛けにおける掛止の際の（ａ）正面図、（ｂ）側面図である。
【図３４】本発明の第４の実施の形態に係る薄型表示装置の壁掛けにおける壁固定部と固定金具との掛止の概念図である。
【発明を実施するための形態】
【００１０】
＜第１の実施の形態＞
〔薄型表示装置Ｘの構成〕
まず、図１〜１２を参照して、本発明の第１の実施の形態の説明を行う。
最初に、図１〜図２を参照して、第１の実施の形態に係る卓上設置の際の薄型表示装置Ｘの構成について説明する。
薄型表示装置Ｘは、表示部１０、スタンド支柱２０、スタンド支持台３０を含んで構成される。薄型表示装置Ｘにおいて、スタンド支柱２０とスタンド支持台３０とは、表示部１０を支持するスタンドとして機能する。
【００１１】
表示部１０は、薄型表示装置Ｘの本体部である。表示部１０は、略直方体形状の薄いハウジング内に、液晶やプラズマや有機ＥＬ等の平面ディスプレイパネル、コントロール基盤、バックライト、ＲＦ部等の各種基板が固定されている。表示面１１０は、画像が表示される平面ディスプレイパネルである。
表示部１０の背面には、ビス孔１５が複数個配置されている。ビス孔１５は、ネジが切られており、その一部は壁掛けの際に用いられる。
表示部１０は、主に４０〜１２０型等の大型〜超大型の薄型表示装置である。
【００１２】
スタンド支柱２０は、平板の部材である。スタンド支柱２０は、例えば、角柱形の２本の柱部材が水平部材と結合されたコの字形状をしている。また、スタンド支柱２０は、前後方向に数ｃｍ〜十数ｃｍ程度の厚みがある。スタンド支柱２０は、例えば、スチール等の金属製の構造物を含み、表示部１０を支える充分な強度を備えている。また、スタンド支柱２０は、樹脂製の化粧板等の部材で覆われていてもよい。
スタンド支柱２０は、卓上設置の際、スタンド支持台３０に垂設され、固定される。スタンド支柱２０は、ビス４０により表示部１０の背面に固定される。また、スタンド支柱２０は、フック２７（図３）により脱着可能である。
さらに、後述するように、スタンド支柱２０は、壁掛けの際にも用いられる。壁掛け用に利用するため、スタンド支柱２０には、前後方向に貫通するビス孔２５が複数備えられている。なお、ビス孔２５は、見た目をよくするため、卓上設置の際には蓋等で塞がれていてもよい。
【００１３】
スタンド支持台３０は、平板形状で、略長方形に形成されている。スタンド支持台３０は、表示部１０を安定して支持可能な横幅や奥行きの寸法に構成されている。
スタンド支持台３０は、卓上設置の際には、スタンド支柱２０とビス４１（図３）で固定されている。スタンド支持台３０は、このビス４１を外すことで、分離可能である。分離後のスタンド支持台３０は、化粧カバー６０（図３）とスタンドベース７０（図３）とからなり、スタンドベース７０の上面が化粧カバー６０で覆われるようになっている。
なお、スタンド支柱２０やスタンド支持台３０に、回転機構、高さ調整機構、及び／又は角度調整機構が備えられていてもよい。
【００１４】
次に、図３を参照して、表示部１０から、スタンド支柱２０とスタンド支持台３０とが分離される例について説明する。
図３（ａ）によると、側面図に示す表示部１０の背面から、複数のビス４０が取り外される。
図３（ｂ）によると、表示部１０は、フック２７とスタンドフック挿入固定孔１７との掛合を解除し、取り外すことができる。スタンド支柱２０には、ロックピン２６が備えられている。よって、表示部１０のロックピン孔１６（図４）に、このロックピン２６が係止される。これにより、ビス４０を取り外した際に、スタンド支柱２０と表示部１０とがすぐ分離しないように構成することができる。このため、ロックピン２６の解除機構のボタン等を別途備えていてもよい。
図３（ｃ）によると、スタンド支柱２０の柱部材の一面には、はめ込み式のフック２７が複数備えられている。フック２７は、表示部１０を取り外すと視認できる。破線内は、このフック２７の拡大斜視図である。
次に、スタンド支持台３０の底面から、複数のビス４１が取り外される。これにより、スタンド支柱２０とスタンド支持台３０とが分離される。
図３（ｄ）によると、スタンド支持台３０も分離される。スタンド支持台３０は、化粧カバー６０とスタンドベース７０とを含んで構成される。
化粧カバー６０はスタンドベース７０を覆うためのカバーである。化粧カバー６０は、例えば、ＡＢＳやＰＥＴ等の樹脂で構成されていてもよい。化粧カバー６０は、支柱用孔６０５が備えられている。この支柱用孔６０５は、スタンド支柱２０が挿入される孔である。なお、化粧カバー６０は、壁掛け時には使用されない。
一方、スタンドベース７０は、例えばスチール等の金属製の長方形の部材である。スタンドベース７０は、卓上設置の際にスタンド支柱２０を支持するために用いられる。これに加えて、スタンドベース７０は、壁掛けの際に固定用の金具としても用いられる。スタンドベース７０の詳細構成は後述する。
なお、スタンドベース７０は細長い部材であるため、各部材の配置位置を明確にするため、図面中では適宜スケールを変更して描画している。
【００１５】
次に、図４〜図７を参照して、各部材の詳細な構成について説明する。
図４によると、表示部１０をスタンド支柱２０から分離した際の背面には、ビス孔１５の他に、スタンドフック挿入固定孔１７（フック挿入固定孔）が複数備えられている。また、ロックピン２６（図３）が挿入されるロックピン孔１６も備えられている。
スタンドフック挿入固定孔１７は、表示部１０の背面に備えられている。スタンドフック挿入固定孔１７は、スタンド支柱２０の先端のフック２７が嵌入され、固定される穴である。
具体的には、スタンドフック挿入固定孔１７にフック２７を押し当てた状態で、スタンドフック挿入固定孔１７に対してフック２７が上に押し上げられると、内部にあるスタンド固定爪（図示せず）に係合される。これにより、スタンドフック挿入固定孔１７内で、フック２７がスタンドロックされる。
【００１６】
図５によると、スタンド支柱２０は、ビス孔２５、ロックピン２６（ロック機構）、及びフック２７がそれぞれ複数備えられている。
ビス孔２５は、スタンド支柱２０を前後に貫通したビス孔である。ビス孔２５は、壁掛け時に表示部１０を安定して固定するために必要な数、備えられる。ビス孔２５は、スタンド支柱２０の水平部材に備えられたビス孔２５の他に、卓上設置時にビス４０が挿入されていたビス孔２５が、壁掛け時にも用いられる。なお、ビス孔２５にはネジが切られていなくてもよい。
ロックピン２６は、壁掛け時及び卓上設置時に表示部１０を固定するためのバネ等を備えたロックピンである。なお、このロックピン２６を挿入させて、ロックを解除させるためのボタンやヒンジ等を含む、埋込み取付けされた機械的な係合着脱構造を別途用意することもできる。
フック２７は、卓上設置と壁掛けの両方で用いるフック状の固定部材である。フック２７は、上側又は下側どちらかに係合するための部材を取りつけ、フックとして使用できる構造を用いる。すなわち、フック２７は、卓上設置時には、スタンドフック挿入固定孔１７に嵌入されて上側で固定される。一方、フック２７は、壁掛け時には、スタンドベース７０の壁掛けフック挿入孔７７０に係止され下側で固定される。フック２７は、表示部１０が傾かないように固定するため、少なくとも２以上備えられることが好ましい。図５の例では、フック２７が４つ用いられる例について示している。
【００１７】
図６（ａ）（ｂ）によると、スタンドベース７０は、凸部７１０、凹部７３０、ビス孔７５０、ロックピン孔７６０、壁掛けフック挿入孔７７０が、それぞれ複数備えられている。
凸部７１０は、スタンドベース７０に強度を持たせるために、半楕円筒状で立体的に形成されている。凸部７１０には、凹部７３０、ロックピン孔７６０、壁掛けフック挿入孔７７０がそれぞれ形成されている。
凹部７３０は、スタンド支柱２０のフック２７の挿入時に、フック２７がスタンドベース７０と干渉しないように設けられた切り欠き凹みである。なお、凹部７３０は、フック２７を２つのみ用いる場合等、挿入時に干渉しなければ、なくてもよい。
ビス孔７５０は、スタンドベース７０が壁９０（図１０）に固定される際に用いられる、複数のビス孔である。ビス孔７５０は、例えば、スタンドベース７０の平面状に加工されている周囲面とセンター横１列の箇所に、複数備えられる。ビス孔７５０は、実際に固定に用いるビス４３の数よりも多く備えることができる。これにより、例えば石膏ボードを固定する板材に、容易に固定可能となる。また、ビス孔７５０の少なくとも中央列の２つは、卓上設置の際にビス４１（図３）にてスタンド支柱２０が垂設され固定されるために用いられる。なお、化粧カバー６０の支柱用孔６０５でスタンド支柱２０を支え、固定時には、ビス孔７５０の中央列の１つを用いるような構造も可能である。
ロックピン孔７６０は、例えば、上下の壁掛けフック挿入孔７７０の間に備えられ、ロックピン２６が挿入される孔である。ロックピン孔７６０により、スタンド支柱２０のフック２７が外れないようにすることができる。すなわち、スタンド支柱２０のフック２７が壁掛けフック挿入孔７７０に挿入されて正しく係止されると、ロックピン２６がロックピン孔７６０に嵌入される。これにより、表示部１０が、壁掛け固定される。
壁掛けフック挿入孔７７０は、スタンド支柱２０の各フック２７の少なくとも下側を掛合するために用いられる孔である。図６の例では、上下２つの凸部７１０に、壁掛けフック挿入孔７７０が合計８箇所設けられている。すなわち、壁掛けフック挿入孔７７０は、スタンド支柱２０のフック２７の数に対応して備えられる。
【００１８】
図７の拡大図は、図６の破線部Ａの箇所を示す。図７によると、壁掛けフック挿入孔７７０は、凸部７１０にフック２７を係止するように形成されている。これにより、スタンドベース７０が薄い金属板を加工して形成されても、表示部１０及びスタンド支柱２０の重さを充分支えることができ、固定しやすいという効果が得られる。
なお、スタンドベース７０に、化粧カバー６０を止める爪やビス孔を別途設けることもできる。
【００１９】
次に、図８〜図９を参照して、壁掛けの際に、スタンド支柱２０が表示部１０に固定される例について説明する。
図８によると、スタンド支持台３０から外されたスタンド支柱２０は、フック２７が壁固定台となるスタンドベース７０に掛合されるように、表示部１０の背面に固定される。破線内は、フック２７の拡大斜視図である。スタンドベース７０は、図１０のように壁９０に取り付けられる。このため、スタンド支柱２０は、卓上設置時とは逆に、フック２７を表示部１０の背面に向けた状態となる。また、スタンド支柱２０は、通常、卓上設置の際よりも上側にあるビス孔１５に対応する位置に当接される。
図９（ａ）のように、当接されたスタンド支柱２０に対し、複数のビス４２が螺着される。この際、ビス４２は、スタンド支柱２０のビス孔２５に対応するビス孔から挿入されて、表示部１０のビス孔１５に螺着される。これにより、スタンド支柱２０が表示部１０に固定され、取り付けられる。
図９（ｂ）によると、スタンド支柱２０が固定されると、表示部１０の背面には、ビス４２と、ロックピン２６と、フック２７とが視認できるように備えられる。この状態で、スタンド支柱２０は、壁掛け部材となるスタンドベース７０に係止される。
【００２０】
次に、図１０を参照して、壁掛けの際に、スタンドベース７０が、石膏ボード等の壁９０に当接され、固定される例について説明する。
スタンドベース７０は、壁固定台として用いられる。このため、図１０のように、例えば、ビス孔７５０が平板部に列になるよう複数備えられている。
スタンドベース７０は、少なくとも複数のビス孔７５０から、複数の壁固定用のビス４３が螺着され、壁掛け金具として用いられる。このビス４３は、例えば、木部に到達する木ネジや、石膏ボード固定用のネジ等を用いることができる。
なお、この壁９０は、表示装置を係止可能で一般的な壁を構成する壁面部材であるが、石膏ボード等の他にも、木材やモルタル、家具、壁掛け用のパネル、金属や樹脂製の固定部材、マウントアーム等の表示装置を係止可能な部材であれば、壁９０として利用することができる。
【００２１】
次に、図１１〜図１２を参照して、壁９０に固定されたスタンドベース７０に、スタンド支柱２０が備えられた表示部１０が係止される例について説明する。
図１１のように、壁掛けの際には、固定されたスタンドベース７０の壁掛けフック挿入孔７７０に、フック２７が差込まれ、その後押し下げられる。この際、下側のフック２７は、凹部７３０により干渉を避けることができる。これにより、フック２７は、壁掛けフック挿入孔７７０に係合される。
各フック２７が各壁掛けフック挿入孔７７０に正しく係合されると、ロックピン２６がロックピン孔７６０に差し込まれる。これにより、フック２７は、外れないように固定される。図１１の破線内は、係合されたフック２７及び壁掛けフック挿入孔７７０の拡大斜視図である。
図１２は、壁掛けの際に固定された壁９０、スタンドベース７０、スタンド支柱２０、及び表示部１０の関係を示す。このように、スタンドベース７０とスタンド支柱２０に、従来の壁固定部材と同様の機能を備えさせることができる。つまり、本実施形態の薄型表示装置Ｘは、別途、壁掛け部材を用いる必要がなくなる。よって、薄型表示装置Ｘのスタンドを無駄にすることがなく、コストを削減することができる。
【００２２】
以上のように構成することで、以下のような効果を得ることができる。
本発明の第１の実施の形態に係る薄型表示装置Ｘは、薄型表示装置を壁掛け設置する場合、従来は不要となっていたスタンドを有効活用でき、又、壁掛け部材を別途購入する必要がなくなる。
また、本発明の第１の実施の形態に係る薄型表示装置Ｘのスタンド支柱２０及びスタンドベース７０の構造は、通常のスタンドに用いる部材と共用化でき、一般的な液晶テレビ等のスタンドに適応しやすい。このため、コストの低減が可能となる。
また、本発明の第１の実施の形態に係る薄型表示装置Ｘのスタンド支柱２０及びスタンドベース７０は、荷重の耐性が高いため、小型テレビ〜大型テレビの何れにも対応可能である。
【００２３】
なお、上述の第１の実施の形態においては、スタンド支柱２０は、コの字型の支柱として記載したが、これに限られず、壁掛け部材となる平形であれば様々な形状の支柱を用いることができる。またスタンド支柱２０の柱部材と水平部材の数や配置も任意である。
また、スタンド支柱２０にスピーカが内蔵されている等の特殊な構造であっても、電極を別途備える等により対応できる。
【００２４】
＜第２の実施の形態＞
〔薄型表示装置Ｙの構成〕
次に、図１３〜２２を参照して、本発明の第２の実施の形態の説明を行う。
まず、図１３〜図１４を参照して、本発明の第２の実施の形態に係る薄型表示装置Ｙの卓上設置の際の構成について説明する。
薄型表示装置Ｙは、表示部１１、スタンド支柱２１、スタンド支持台３１を含んで構成される。薄型表示装置Ｙにおいても、スタンド支柱２１とスタンド支持台３１とは、表示部１０を支持するスタンドとして機能する。
ここで、薄型表示装置Ｙは、第１の実施の形態に係る薄型表示装置Ｘと異なり、１本のスタンド支柱２１にて支持される。
【００２５】
薄型表示装置Ｙの表示部１１は、第１の実施の形態に係る薄型表示装置Ｘの表示部１０（図１、図２）と同様の薄型表示装置Ｙの本体部である。
表示部１１は、例えば、１３〜３７Ｖ型等の小型〜中型の平面ディスプレイパネルを用いる。また、表示部１１は、薄型表示装置Ｘと同様に、画像が表示される平面ディスプレイパネルの表示面１１０を備えている。
ここで、表示部１１の背面には、ビス孔１８が配置されている。ビス孔１８は、後述する壁掛けフックビス２８（図１８）をネジ止めするための孔である。
【００２６】
スタンド支柱２１は、柱状の部材であり、前後方向に数ｃｍ〜十数ｃｍ程度の厚みがある、表示部１１を支えるための支柱部材である。スタンド支柱２０は、ビス４４にて、表示部１１と螺着されている。
スタンド支柱２１は、第１の実施の形態に係るスタンド支柱２０のように、スタンド支持台３１に垂設され、固定される。
本実施形態では、スタンド支柱２１とスタンド支持台３１の部材を結合して、壁掛け用に用いる。
【００２７】
スタンド支持台３１は、第１の実施の形態に係る薄型表示装置Ｘのスタンド支持台３０と同様に、平板形状で、略長方形に形成されている。スタンド支持台３１も、表示部１１を安定して支持可能な横幅や奥行きの寸法に構成されている。
なお、スタンド支柱２１やスタンド支持台３１にも、回転機構、高さ調整機構、及び／又は角度調整機構が備えられていてもよい。
【００２８】
次に、図１５を参照して、表示部１１、スタンド支柱２１、及びスタンド支持台３１が分離される例について説明する。
図１５（ａ）の平面図によると、まず、スタンド支柱２１の背面から、複数のビス４４が取り外され、スタンド支柱２１から表示部１１が分離される。
図１５（ｂ）の正面図によると、次に、スタンド支持台３１の底面及び上面から、複数のビス４４が取り外される。これにより、スタンド支柱２１とスタンド支持台３１を含む各部材が分離可能となる。
図１５（ｃ）の平面図によると、スタンド支持台３１は、化粧カバー６１とスタンドベース７１とを含んで構成される。ここでは、まず、スタンド支持台３１から、化粧カバー６１が分離される。
化粧カバー６１は、上述の第１の実施の形態の化粧カバー６０（図３）と同様の樹脂製の部材等であり、壁掛け時には使用されない。化粧カバー６１には、ビス孔６５１が備えられている。また、化粧カバー６１にも、支柱用孔６１５が備えられており、卓上設置時には、この支柱用孔６１５からスタンド支柱２１が挿入される。
スタンドベース７１は、第１の実施の形態に係るスタンドベース７０（図３）と同様に壁掛け部材として用いられる、例えばスチール等の金属製の長方形の部材である。スタンドベース７１には、後述する壁掛けフックビス２８（図１８）を固定するための壁掛けフックビス挿入孔７８０と、複数のビス孔７５１が備えられている。また、スタンドベース７１には、例えば、スチール製の部材であるスタンド支柱保持部７２１が２つ備えられている。スタンド支柱保持部７２１は、卓上設置の際にはスタンド支柱２１の底面部を挟み込んで、充分な強度で支持する。なお、この段階では、スタンドベース７１には、スタンド支柱２１が嵌着されている。
図１５（ｄ）の破線枠内のスタンド支柱２１の拡大斜視図によると、スタンドベース７１からスタンド支柱２１が、スタンド支柱保持部７２１から、例えば、矢印方向にスライドされて分離される。
【００２９】
次に、図１６と図１７を参照して、各部材の詳細な構成について説明する。
図１６（ａ）（ｂ）によると、スタンドベース７１には、強度を持たせるための、半楕円筒状の立体的に形成された凸部７１１を備えている。凸部７１１には、壁掛けフックビス２８（図１８）を挿入させ、掛止させるための壁掛けフックビス挿入孔７８０（壁掛けフック手段挿入孔）が複数備えられている。壁掛けフックビス挿入孔７８０は、壁掛けフックビス２８の掛止を容易にするために、幅広に開口されている。
また、スタンドベース７１には、ビス孔７５１が複数備えられている。このビス孔７５１は、卓上設置時の際にスタンド支柱２１とビス４４で螺着する際、壁掛けの際にスタンド支持部２１０とビス４５で螺着する際、又は壁９０にビス４３（図１０、図１９）で固定する際に、それぞれ用いられる。
【００３０】
図１７（ａ）〜（ｃ）によると、スタンド支柱２１のスタンド支持部２１０は、本体固定部２２０とロック機構部２２６とを組み合わせて、壁掛けに用いられる。
図１７（ａ）では、まず、スタンド支持部２１０から、支持部カバー２６０が取り外され、本体固定部２２０が嵌入される例を示している。
スタンド支持部２１０は、スチール等で製造されたスタンド支柱２１の本体の部材であり、表示部１１を支える充分な強度を備えている。スタンド支持部２１０は、例えば、コの字状の支柱本体と、スタンドベース７１と嵌着されていた底面部とが接合されて構成されている。スタンド支持部２１０の支柱本体には、卓上設置時のビス４４（図１４）用及び壁掛け時のビス４５（図１９）用のビス孔２１４が備えられている。
本体固定部２２０は、表示部１１を壁掛けで固定するため、別途添付される小部材である。本体固定部２２０には、後述する壁固定部１８０（図１８）の壁固定ツメ１８１を通すための壁固定ツメ孔２２１と、リブを通すためのリブ孔２２２が備えられている。さらに、本体固定部２２０の底面には、ビス４４用のビス孔２２４と、ロック機構部２２６の挿入孔２２３が備えられている。本体固定部２２０のビス孔２２４はスタンド支持部２１０のビス孔２１４と、本体固定部２２０の挿入孔２２３はスタンド支持部２１０の挿入孔２１３とそれぞれ対応して備えられている。
支持部カバー２６０は、化粧カバ−６１（図１５）と同様の樹脂製等の部材である。支持部カバー２６０は、壁掛けには用いられない。また、支持部カバー２６０には、卓上設置時のビス４４用のビス孔２６４が備えられている。
図１７（ｂ）では、本体固定部２２０は、スタンド支持部２１０のコの字形状の内側に配置され、底面部に当接され、ビス４４で固定される例を示している。
図１７（ｃ）では、ロック機構部２２６が、スタンド支持部２１０の底面部から本体固定部２２０内に挿入される例を示している。ロック機構部２２６には、本体固定部２２０の壁固定ツメ孔２２１と対応した壁固定ツメ孔２２７が備えられている。ロック機構部２２６は、図示しないバネによる適度な摩擦等により、ロック機構部２２６の内部に保持されつつ、上下に滑動し、壁固定ツメ孔２２７の位置を調整できる。これにより、後述するように、壁固定ツメ１８１を挿入後に固定することが可能となる。
【００３１】
次に、図１８を参照して、表示部１１を壁掛けのために用いる際の構成について説明する。
図１８（ａ）は、表示部１１の背面の壁掛け時の背面図である。
図１８（ｂ）は、壁掛けフックビス２８の拡大斜視図を示す。壁掛けフックビス２８（壁掛けフック手段）は、表示部１１を壁掛け固定するための別途添付される直径数ｍｍ〜数ｃｍのビス等である。壁掛けフックビス２８は、表示部１１の背面の各ビス孔１８に螺着される。
壁固定部１８０は、別途、壁掛け用部材として添付される小部材であり、卓上設置時のビス４４により、表示部１１の下部に螺着される。壁固定部１８０は、壁掛け時に、上述の本体固定部２２０及びロック機構部２２６と掛合される。ここで、壁固定部１８０は、例えば、表示部１１の背面の向きに、壁固定ツメ１８１とリブ１８２とを備えている。
図１８（ｃ）は、壁固定ツメ１８１及びリブ１８２の拡大斜視図である。壁固定ツメ１８１は、本体固定部２２０の壁固定ツメ孔２２１と、ロック機構部２２６の壁固定ツメ孔２２７とに挿入され固定される。また、リブ１８２は、本体固定部２２０のリブ孔２２２に挿入され、表示部１１の下部の位置固定のために用いられる。
なお、壁固定部１８０は、表示部１１にスライド挿入固定したり、スタンド支持部２１０のビス孔で直接、ビス固定してもよい。また、表示部１１の背面のカバーに直接、壁固定ツメ１８１及びリブ１８２とを備えていてもよい。この場合、支持部カバー２６０のスタンド支持部２１０の支柱本体に孔を備えて固定することができる。
【００３２】
次に、図１９を参照して、壁掛けの際に、スタンドベース７１及びスタンド支持部２１０が石膏ボード等の壁９０に当接され、固定される例について説明する。
まず、スタンドベース７１の支柱本体を表示部１１の背面に固定していたビス孔２１４と、スタンド支持部２１０のビス孔７５１とが、ビス４５で螺着され固定される。なお、このスタンドベース７１へのスタンド支持部２１０の固定は、図１９の例の他にも、壁固定部１８０（図１８）に対応した各種の位置へ固定可能である。
スタンドベース７１とスタンド支持部２１０とは、一体的に壁９０に当接される。そして、第１の実施の形態と同様のビス４３（図１０）がビス孔７５１に螺着され、壁９０に固定される。
【００３３】
次に、図２０〜図２２を参照して、壁９０に固定されたスタンドベース７１及びスタンド支持部２１０に、表示部１１が係止される例について説明する。
図２０によると、まず、スタンドベース７１の壁掛けフックビス挿入孔７８０に、表示部１１の壁掛けフックビス２８を挿入し、溝部で掛止する。図２０の破線内は、この壁掛けフックビス２８と壁掛けフックビス挿入孔７８０の固定の概念図である。壁掛けフックビス挿入孔７８０の溝部で掛止された状態から、例えば、壁掛けフックビス２８を左に摺動させ、一段低くなった引っかけ固定溝に落とすことで、表示部１１が所定位置で固定される。
図２１によると、表示部１１の上部が、壁掛けフックビス２８でスタンドベース７１の壁掛けフックビス挿入孔７８０に掛止されている状態の例を示す。この状態では、表示部１１を壁９０に対して、斜めに揺動させ、押し込むことができる。
図２２によると、表示部１１の下部に備えられた壁固定部１８０の壁固定ツメ１８１とリブ１８２が、スタンド支持部２１０の本体固定部２２０に挿入された状態の例を示している。この例では、壁固定部１８０の壁固定ツメがロック機構部２２６の孔に差し込まれる。その後、ロック機構部２２６が押し下げられる。これにより、表示部１１は、壁９０から外れないように固定される。図２２の破線内は、壁固定部１８０と本体固定部２２０の拡大斜視図である。
【００３４】
以上のように構成することで、本発明の第２の実施の形態に係る薄型表示装置Ｙは、第１の実施の形態に係る薄型表示装置Ｘと同じく、スタンドを無駄にすることがなく、コストを削減することができる。
また、本発明の第２の実施の形態に係る薄型表示装置Ｙは、別途、本体固定部２２０壁掛けフックビス２８のような小部材を添付するだけで、壁掛けを行うことができる。つまり、このような小部材を添付するだけで済むため、コストを削減でき、壁掛け部材を別売りとする必要がなくなる。
また、本発明の第２の実施の形態に係る薄型表示装置Ｙは、１本の支柱のみ用いる中小型薄型表示装置の一般的構造に適用することができ、コストを削減できる。
【００３５】
＜第３の実施の形態＞
次に、図２３〜図２６を参照して、本発明の第３の実施の形態について説明する。
まず、図２３を参照して、本実施形態の表示部１２を壁掛けに用いる際の構成について説明する。
図２３（ａ）によると、本実施形態では、例えば、４０型以上の中〜大型の表示部１２に対して、第２の実施の形態と同様の構造のスタンド支柱２１（図１３）とスタンド支持台３１とを用いて壁掛けを行う。
スタンド支柱２１とスタンド支持台３１は、表示部１２を支持するための寸法を備えているものの、中〜大型の表示部１２では、スタンド支柱２１の高さが表示部１２の寸法に比較して低くなる。このため、別途添付される小部材である本体ロック治具部２３０（掛止機構）を用いる。
具体的に、表示部１２の背面の上部には、第２の実施形態と同様の壁掛けフックビス２８が螺着される。これに加えて、表示部１２は、第２の実施の形態の壁固定部１８０（図１８）の代わりに、下部にスライド挿入部１９を備える。スライド挿入部１９の位置は、壁掛け時におけるスタンド支持部２１０の位置のちょうど下となる。このスライド挿入部１９へ、本体ロック治具部２３０が嵌着される。
図２３（ｂ）の拡大斜視図によると、本体ロック治具部２３０は、表示部１２のスライド挿入部１９へ、スライド挿入されて嵌着される。本体ロック治具部２３０は、例えば所定範囲内で回転するロックバー２３３と、ロックバーレバー２３４とを備えている。
ロックバー２３３は、ロックバーレバー２３４が表示部１２の下部から引かれると回転する。
挿入孔２３７は、回転時にロックバー２３３が挿入される孔である。この挿入により、ロックバー２３３が更にスタンド支持部２１０の挿入孔２１３（図１７）へ挿入され、表示部１２が固定される。
【００３６】
次に、図２４を参照して、壁掛けの際に、スタンドベース７１及びスタンド支持部２１０が石膏ボード等の壁９０に当接され、固定される例について説明する。
本発明の第３の実施の形態においては、第２の実施の形態と同様のスタンドベース７１とスタンド支持部２１０のみが、例えば、ビス４５で螺着された上で、ビス４３で壁９０に螺着される。
つまり、第３の実施の形態の壁掛け部材として、本体固定部２２０及びロック機構部２２６は用いられない。
なお、壁９０は、第１、第２の実施の形態の壁９０と同様の石膏ボード等である。
【００３７】
次に、図２５と図２６とを参照して、壁９０に固定されたスタンドベース７１及びスタンド支持部２１０に、表示部１２が係止される例について説明する。
図２５によると、表示部１２は、第２の実施の形態と同様に、スタンドベース７１の壁掛けフックビス挿入孔７８０に、表示部１２の壁掛けフックビス２８を挿入し、一段低くなった引っかけ固定溝に落とすことで所定位置に固定される。よって、表示部１２は、壁掛けフックビス２８でスタンドベース７１に掛止され、壁９０に対して斜めに揺動させ、押し込むことができる。
【００３８】
図２６（ａ）は、表示部１１の下部に備えられた本体ロック治具部２３０が、スタンド支持部２１０の下部に接合した状態の例を示している。
図２６（ｂ）（ｃ）は、固定前のスタンド支持部２１０と本体ロック治具部２３０の拡大図である。この状態では、ロックバー２３３がスタンド支持部２１０の底部とほぼ平行であり、まだ表示部１２とスタンド支持部２１０が固定されていない。
図２６（ｄ）（ｅ）は、固定後のスタンド支持部２１０と本体ロック治具部２３０の拡大図である。本体ロック治具部２３０のロックバーレバー２３４が引かれると、ロックバー２３３が回転して、挿入孔２３７と挿入孔２１３を通過し、スタンド支持部２１０内に挿入される。なお、この回転の角度等は、本体ロック治具部２３０の挿入孔２３７の孔の幅により抑制することができる。
これにより、ロックバー２３３で表示部１２の移動が抑制され、壁９０に固定されて設置完了となる。
【００３９】
以上のように構成することで、本発明の第３の実施の形態においても、第１の実施の形態及び第２の実施の形態と同じく、スタンドを無駄にすることがなく、コストを削減することができる。
また、本実施形態では、本体ロック治具部２３０を用いるだけで、第２の実施の形態と同様の構造のスタンド支持台３１及びスタンドベース７１を、壁掛けに用いることができる。これにより、画面の大きさが異なっても、壁掛けに同じスタンドの構造が適用可能となり、コストを削減できる。
【００４０】
また、上述の第２及び第３の実施の形態において、壁掛けフックビス２８として、螺着するビスではなく、フック状の構造を用いることも可能である。
また、ロック機構部２２６やロックバー２３３の代わりに、バネやビス等による係止機構を備えてもよい。
また、本発明の第１乃至第３の実施の形態に係る薄型表示装置Ｘ、Ｙは、通常の液晶やプラズマや有機ＥＬの薄型テレビジョン受信機の他にも、業務用モニター、広告用ディスプレイ、電子黒板、デジタルサイネージ等にも適用可能である。
【００４１】
＜第４の実施の形態＞
次に、図２７〜図３４を参照して、本発明の第４の実施の形態について説明する。
まず、図２７を参照して、本発明の第４の実施の形態に係る薄型表示装置Ｗの卓上設置の際の構成について説明する。
薄型表示装置Ｗは、表示部１４、スタンド支柱２４、スタンド支持台３４を含んで構成される。薄型表示装置Ｗにおいても、スタンド支柱２４とスタンド支持台３４とは、表示部１４を支持するスタンドとして機能する。
薄型表示装置Ｗにおいては、スタンド支柱２４と表示部１４とは、固定金具２１１と複数のビス４４、ビス４６とにより螺着されている。この固定金具２１１は、通常は目視されないように固定金具カバー６３が填め込まれている。
図２７は、この固定金具カバー６３が外され、第２の実施の形態に係る表示部１１及び第３の実施の形態に係る表示部１２と同様に、壁掛けフックビス２８が螺着されている際の構成を示している。図２７（ａ）は背面図、図２７（ｂ）は側面図である。
なお、卓上設置の際には、壁掛けフックビス２８は、ケーブル等をまとめる際の掛け具として使用されてもよい。また、壁掛けフックビス２８を、取り外しておいてもよい。
【００４２】
薄型表示装置Ｗの表示部１４は、第２の実施の形態に係る表示部１１（図１３）と同様の小型〜中型、又は第３の実施の形態に係る表示部１２（図２３）と同様の中型〜大型の表示部である。
スタンド支柱２４は、表示部１４を支えるための樹脂製や金属製等の柱状の支柱部材である。スタンド支柱２４は、固定金具２１１とビス４４にて螺着されている。スタンド支柱２４は、第２の実施の形態に係るスタンド支柱２１と同様に、スタンド支持台３４に垂設されて、固定される。
本実施形態では、スタンド支持台３４の部材と固定金具２１１とを用いて、壁掛け用に用いる。このため、壁掛け設置時において、壁掛け用の部材を別途添付する必要がなく、コストを削減できる。
スタンド支持台３４は、第２の実施の形態に係るスタンド支持台３１（図１３）と同様の部材であり、下記で説明するように分離可能である。
【００４３】
図２８を参照して、表示部１４、スタンド支柱２４、固定金具２１１、及びスタンド支持台３４が分離される例について説明する。
図２８（ａ）の平面図によると、まず、固定金具２１１の背面から、複数のビス４６が取り外され、表示部１４が分離される。
図２８（ｂ）の正面図によると、次に、スタンド支持台３４の底面、及び固定金具２１１の上面から、複数のビス４４が取り外される。これにより、スタンド支柱２４、固定金具２１１、スタンド支持台３４の各部材が分離可能となる。
図２８（ｃ）の平面図によると、その後、スタンド支持台３４から、化粧カバー６４、スタンド支柱２４、及び固定金具２１１が分離される。スタンド支持台３４は、化粧カバー６４とスタンドベース７４とが分離される。
【００４４】
化粧カバー６４は、上述の第１の実施の形態の化粧カバー６０（図３）、第２の実施の形態の化粧カバー６１（図１５）と同様の樹脂製の部材等であり、支柱用孔６１６が備えられている。
スタンドベース７４は、第１の実施の形態に係るスタンドベース７０（図３）、第２の実施の形態に係るスタンドベース７１（図１５）と同様の壁掛け時に用いる金属製の長方形の部材である。スタンドベース７４には、第２、第３の実施の形態と同様に、壁掛けフックビス挿入孔７８０が開けられている。また、スタンドベース７４は、壁掛け時に用いる複数のビス孔７５１と、スタンド支柱２４を固定するための複数のビス孔７５４とが開けられている。
なお、化粧カバー６４及びスタンド支柱２４は、本実施形態においては、壁掛け設置には用いられない。
【００４５】
次に、図２９を参照して、固定金具２１１の詳細な構成について説明する。本実施形態においては、固定金具２１１及びスタンドベース７４を壁固定用の部材として用いる。図２９の固定金具２１１において、それぞれ、図２９（ａ）は正面図、図２９（ｂ）は底面図、図２９（ｃ）は背面図、図２９（ｄ）は側面図を示す。
固定金具２１１は、壁固定ツメ孔２２４と、複数のビス孔７５５と、開口部７５６とが備えられている。また、固定金具２１１には、コの字状で突出した突出部２１５が備えられている。
壁固定ツメ孔２２４は、突出部２１５に備えられ、表示部１４の壁固定部１８４（図３０）の壁固定ツメ１８５が挿入され、表示部１４が固定される凹みや開口部である。
ビス孔７５５は、ビス４４やビス４６を螺着するために、各面に複数備えられているビス孔である。また、ビス孔７５５は、壁掛けの際にビス４８（図３１）で壁９０（図３１）に固定するためにも用いられる。
開口部７５６は、固定金具２１１は、卓上設置又は壁掛けの際に、ビス４６又はビス４８をビス孔７５５に螺着するために開けられた孔で、ドライバー等の工具を差し込んでネジ締めする際に用いられる。
【００４６】
次に、図３０を参照して、壁掛け時の表示部１４の構成について説明する。
図３０（ａ）の背面図を参照すると、表示部１４の背面の上部には、第２、第３の実施形態と同様の壁掛けフックビス２８が螺着される。
また、表示部１４は、下部にスリット状の挿入孔がある挿入部２１４を備えており、壁掛け時に挿入部２１４内へ固定金具２１１（図２３）が斜めにスライドするように挿入される。この挿入部２１４の挿入孔の内部には、壁固定部１８４が備えられている。
図３０（ｂ）の拡大斜視図によると、壁固定部１８４は、例えば、壁固定ツメ１８５（掛止機構）とスライド挿入部１９４とを備えている。壁固定ツメ１８５は、爪型ロックと前後方向にたわませることが可能な爪ロック解除レバーとを備えている。スライド挿入部１９４は、例えば、コの字型の金具であり、固定金具２１１が滑動されスライド挿入された際に、横方向と奥行き方向の抑えに用いられる。
【００４７】
次に、図３１を参照して、壁掛けの際に、スタンドベース７４及び固定金具２１１が石膏ボード等の壁９０に当接され、固定される例について説明する。
本発明の第４の実施の形態においては、第３の実施の形態と同様に、スタンドベース７４が例えば、ビス４３で壁９０に螺着される。壁９０は、第１、第２、第３の実施の形態の壁９０と同様の石膏ボード等である。
この上で、例えば、図３１の三角印で示されるようなスタンドベース７４のマーク等に合わせて、添付された紙やプラスチック等の位置合わせシート９５が当てがわれ、固定金具２１１を固定する位置が決定される。固定金具２１１は、この位置合わせシート９５に示された固定位置に合わせて、ビス４８で壁９０に螺着される。この固定金具２１１が固定される位置が、壁掛け時に表示部１４の挿入部２１４と壁固定部１８４が挿入、係止される位置となる。固定金具２１１が螺着された後、位置合わせシート９５は、取り除かれてもよい。
【００４８】
次に、図３２〜図３４を参照して、壁９０に固定されたスタンドベース７４及び固定金具２１１に、表示部１４が係止される例について説明する。
図３２は、表示部１４の壁掛けフックビス２８が、スタンドベース７４の壁掛けフックビス挿入孔７８０の右側の窪みに挿入された際の各部位の位置関係を示す。図３２（ａ）は正面図、図３２（ｂ）は側面図である。この状態において、表示部１４は固定されておらず、左方向に移動可能であり、又、スタンドベース７４から自由に取り外すことができる。つまり、壁固定の際に、表示部１４は、壁９０に対して平行になった状態で、壁掛けフックビス挿入孔７８０の右側の窪みに、壁掛けフックビス２８が掛止される。この状態において、壁固定ツメ孔２２４が開口されている固定金具２１１の突出部２１５が挿入部２１４の挿入孔に当てがわれる。
図３３は、壁掛けフックビス２８が壁掛けフックビス挿入孔７８０の右側の窪みで掛止された状態から、一段低くなった左側の窪みに落とされた状態を示す。つまり、表示部１４は、左方向に摺動されると、重力により、所定位置の固定溝となる左側の窪みの位置で掛止される。すると、固定金具２１１の突出部２１５が壁掛けフックビス挿入孔７８０の左右の窪みの落差により、挿入部２１４の挿入孔に挿入され、壁固定部１８４と所定のロック位置で掛合される。これにより、表示部１４は、所定位置で係止されて、固定状態となる。なお、壁固定ツメ１８５の壁９０方向への押下により固定を解除し、表示部１４を右側に押し上げることで取り外すこともできる。
図３４は、壁固定部１８４と固定金具２１１との固定の詳細を示す。図３４（ａ）によると、表示部１４の降下により、矢印方向から壁固定部１８４と固定金具２１１が係止される。図３４（ｂ）は、固定された状態の壁固定部１８４と固定金具２１１の位置関係を示す。固定金具２１１の突出部２１５は、スライド挿入部１９４によりそれ以上のスライドによる横方向への移動を制限され、壁固定ツメ１８５の爪型ロックと壁固定ツメ孔２２４とが嵌め合わせられ固定される。
なお、フックビス挿入孔７８０の固定溝は左でも右でもよく、この位置によりスライド挿入部１９４の左右の位置が変更される。
【００４９】
以上のように構成することで、本発明の第４の実施の形態に係る薄型表示装置Ｗは、第１、第２、第３の実施の形態と同様に、スタンドを無駄にすることがなく、コストを削減することができる。
また、本発明の第４の実施の形態に係る薄型表示装置Ｗは、スタンド支持台３４の部材と固定金具２１１とを用いて、壁掛けを行う。このため、壁掛け設置時において、第２の実施の形態に係る本体固定部２２０（図１７）やロック機構部２２６、第３の実施の形態に係る本体ロック治具部２３０（図２３）のような部材を別途添付したり、購入等させたりする必要がなく、コストを削減できる。つまり、壁掛け用の部材を別途用意する必要がなく、設置の自由度を高めることができる。
また、薄型表示装置Ｗは、表示部１４が壁９０に平行の状態で掛止できるため、狭い場所でも設置が可能であり、複数のパネルを並べて設置するような場所でも対応できる。
【００５０】
なお、上記実施の形態の構成及び動作は例であって、本発明の趣旨を逸脱しない範囲で適宜変更して実行することができることは言うまでもない。
【符号の説明】
【００５１】
１０、１１、１２、１４  表示部
１５、１８、２５、２１４、２２４、２６４、６５１、７５０、７５１、７５４、７５５  ビス孔
１６、７６０  ロックピン孔
１７  スタンドフック挿入固定孔
１９、１９４  スライド挿入部
２０、２１、２４  スタンド支柱
２６  ロックピン
２７  フック
２８  壁掛けフックビス
３０、３１、３４  スタンド支持台
４０、４１、４２、４３、４４、４５、４６、４８  ビス
６０、６１、６４  化粧カバー
６３  固定金具カバー
７０、７１、７４  スタンドベース
９０  壁
９５  位置合わせシート
１１０  表示面
１８０、１８４  壁固定部
１８１、１８５  壁固定ツメ
１８２  リブ
２１０  スタンド支持部
２１１  固定金具
２１２  支柱
２１３、２２３、２３７  挿入孔
２１４  挿入部
２１５  突出部
２２０  本体固定部
２２１、２２４、２２７  壁固定ツメ孔
２２２  リブ孔
２２６  ロック機構部
２３０  本体ロック治具部
２３３  ロックバー
２３４  ロックバーレバー
２６０  支持部カバー
６０５、６１５、６１６  支柱用孔
７１０、７１１  凸部
７２１  スタンド支柱保持部
７３０  凹部
７５６  開口部
７７０  壁掛けフック挿入孔
７８０  壁掛けフックビス挿入孔
Ｘ、Ｙ、Ｗ  薄型表示装置
【図１】
2013152419.tif 000003
【図２】
2013152419.tif 000004
【図３】
2013152419.tif 000005
【図４】
2013152419.tif 000006
【図５】
2013152419.tif 000007
【図６】
2013152419.tif 000008
【図７】
2013152419.tif 000009
【図８】
2013152419.tif 000010
【図９】
2013152419.tif 000011
【図１０】
2013152419.tif 000012
【図１１】
2013152419.tif 000013
【図１２】
2013152419.tif 000014
【図１３】
2013152419.tif 000015
【図１４】
2013152419.tif 000016
【図１５】
2013152419.tif 000017
【図１６】
2013152419.tif 000018
【図１７】
2013152419.tif 000019
【図１８】
2013152419.tif 000020
【図１９】
2013152419.tif 000021
【図２０】
2013152419.tif 000022
【図２１】
2013152419.tif 000023
【図２２】
2013152419.tif 000024
【図２３】
2013152419.tif 000025
【図２４】
2013152419.tif 000026
【図２５】
2013152419.tif 000027
【図２６】
2013152419.tif 000028
【図２７】
2013152419.tif 000029
【図２８】
2013152419.tif 000030
【図２９】
2013152419.tif 000031
【図３０】
2013152419.tif 000032
【図３１】
2013152419.tif 000033
【図３２】
2013152419.tif 000034
【図３３】
2013152419.tif 000035
【図３４】
2013152419.tif 000036